(57)【特許請求の範囲】
【請求項１】
作動流体としてのオイルが流入する流入通路（５１）と前記オイルが流出する流出通路（５３）とが形成される通路形成部材（５）の装着穴（５２）に装着される先端側筒部（２ａ）を有し、前記流入通路及び前記流出通路に連通する弁室（２５）を前記先端側筒部の内側に有するハウジング（２）と、
前記弁室に収容されて、前記流入通路に連通する流入弁口（１１）、または前記弁室を介して前記流出通路に連通する排出弁口（１３）を選択的に開閉するボール弁（１６）と、
前記弁室に収容されて前記ボール弁を前記流入弁口及び前記排出弁口と同軸状に保持し、前記流入弁口及び前記排出弁口に連通する連通口（６０１）が設けられたボールガイド部（６０）と、
前記ボール弁を軸心方向に変位させるシャフト（４）と、
前記シャフトを前記軸心方向に駆動する電磁ソレノイド部（３）と、
前記先端側筒部の内部において前記ボールガイド部及び前記ボール弁よりも前記オイルの上流に設けられ、前記流入弁口が形成されたリング部（６１）と前記ボールガイド部とを有して形成された部品であるシート部材（６）と、
前記先端側筒部の内部において、前記流入弁口に対して前記上流に対向するように設けられる網部（８１）と前記網部の周囲を囲むように設けられる枠部（８０）とを有するフィルタ部材（８）と、
前記フィルタ部材の前記枠部を前記シート部材に固定するために、前記リング部の一部が加締められて形成された第１の加締め部（６２）と、
前記フィルタ部材が固定された前記リング部を前記ハウジングに固定するために前記先端側筒部の内壁の一部が加締められて形成された第２の加締め部（２ａ１）と、
を備える電磁弁。
【請求項２】
前記第１の加締め部と前記第２の加締め部は、前記軸心方向の位置が同等となるように設けられる請求項１に記載の電磁弁。
【請求項３】
前記第１の加締め部は、前記枠部と接触する前記リング部の端面から突出して周方向に並ぶ複数の突起部が前記枠部を貫通した状態でリベット加締めされたものである請求項１または請求項２に記載の電磁弁。
【請求項４】
前記フィルタ部材は、板材をエッチング加工することにより中央部に形成された前記網部と、前記網部の周囲に残された板材で形成される前記枠部と、を備える請求項１から請求項３のいずれか一項に記載の電磁弁。
【発明の詳細な説明】
【技術分野】
【０００１】
この明細書における開示は、オイルを作動流体とする通路において流路を切り換える装置として使用される電磁弁に関する。
【背景技術】
【０００２】
特許文献１に開示された電磁弁は、作動流体であるオイルが流れる流路を切り換えることができる装置である。特許文献１の電磁弁は、それぞれシートホルダの内径に設けられる、シート弁座部材と、シート弁座部材に係合するシートリングと、シートリングの上流側に位置するフィルタと、フィルタの上流側に設けられるリングと、を有する。この電磁弁は、上流側から順に設置されたリング、フィルタ、シートリング、及びシート弁座部材を一体にした状態でシートホルダの先端側の内径がかしめられることで、リングがシートホルダにかしめ固定される構造を有する。
【先行技術文献】
【特許文献】
【０００３】
【特許文献１】特開２０１３−９２２２９号公報
【発明の概要】
【発明が解決しようとする課題】
【０００４】
特許文献１によれば、リングとシートリングとでフィルタを両側から挟み込んだ状態でシートホルダをかしめることでフィルタを固定するため、かしめ工程時にフィルタが変形することを抑制できる。しかしながら、特許文献１の電磁弁では、フィルタを挟むための二つの部品が必要になるという問題がある。
【０００５】
このような課題に鑑み、この明細書における開示の目的は、部品点数とフィルタの変形とを抑制できる電磁弁を提供することである。
【課題を解決するための手段】
【０００６】
この明細書に開示された複数の態様は、それぞれの目的を達成するために、互いに異なる技術的手段を採用する。また、特許請求の範囲及びこの項に記載した括弧内の符号は、ひとつの態様として後述する実施形態に記載の具体的手段との対応関係を示す一例であって、技術的範囲を限定するものではない。
【０００７】
開示された電磁弁のひとつは、作動流体としてのオイルが流入する流入通路（５１）とオイルが流出する流出通路（５３）とが形成される通路形成部材（５）の装着穴（５２）に装着される先端側筒部（２ａ）を有し、流入通路及び流出通路に連通する弁室（２５）を先端側筒部（２ａ）の内側に有するハウジング（２）と、
弁室に収容されて、流入通路に連通する流入弁口（１１）、または弁室を介して流出通路に連通する排出弁口（１３）を選択的に開閉するボール弁（１６）と、
弁室に収容されてボール弁を流入弁口及び排出弁口と同軸状に保持し、流入弁口及び排出弁口に連通する連通口（６０１）が設けられたボールガイド部（６０）と、
ボール弁を軸心方向に変位させるシャフト（４）と、
シャフトを軸心方向に駆動する電磁ソレノイド部（３）と、
先端側筒部の内部においてボールガイド部及びボール弁よりもオイルの上流に設けられ、流入弁口が形成されたリング部（６１）とボールガイド部とを有して形成された部品であるシート部材（６）と、
先端側筒部の内部において、流入弁口に対して上流に対向するように設けられる網部（８１）と網部の周囲を囲むように設けられる枠部（８０）とを有するフィルタ部材（８）と、
フィルタ部材の枠部をシート部材に固定するために、リング部の一部が加締められて形成された第１の加締め部（６２）と、
フィルタ部材が固定されたリング部をハウジングに固定するために先端側筒部の内壁の一部が加締められて形成された第２の加締め部（２ａ１）と、
を備える。
【０００８】
この開示によれば、リング部が加締められることでフィルタ部材の枠部をシート部材に一体に固定するため、従来技術のようにフィルタ部材を二つの部材で挟んで固定する構造を回避でき、網部の変形を回避でき、かつ部品点数を削減することができる。さらに、ハウジングの先端側筒部の内壁が部分的に加締められることでシート部材のリング部をハウジングに一体に固定するため、フィルタ部材に外力がかからないため、フィルタ部材を変形させないでシート部材を強固に固定することができる。したがって、この開示によれば、部品点数を抑制でき、さらにフィルタの変形を抑制できる電磁弁を提供できる。
【図面の簡単な説明】
【０００９】
【図１】第１実施形態に係る電磁弁の断面図である。
【図２】第１実施形態の電磁弁について、第１のシート部材、フィルタ部材及びボール弁等を拡大して示す部分断面図である。
【図３】図１のＩＩＩ方向に先端側筒部の内側をみた場合の加締め構造を示す図である。
【発明を実施するための形態】
【００１０】
（第１実施形態）
第１実施形態の電磁弁１について、図１〜図３を参照しながら説明する。図１は、例えば自動車のオートマチックトランスミッションシステムに搭載され、変速制御のために油路切換えを行う電磁弁１全体の概要構成を示す。電磁弁１は、ハウジング２に収容される流路制御部と、流路制御部と一体に連結される電磁ソレノイド部３と、を備えて構成される。
【００１１】
流路制御部は、自動変速装置または自動変速装置側の通路形成部材５の内部に円柱状の通路を形成する装着穴５２に先端側筒部２ａが嵌合され、装着穴５２の軸心方向に延びる筒状のハウジング２を備える。通路形成部材５には、調圧されたオイルが流れるオイル流入通路５１が形成され、オイル流入通路５１は開弁状態の流入弁口１１と連通する。ハウジング２は、装着穴５２に嵌合される先端側筒部２ａとは軸心方向の反対側に位置するシャフト保持部２６を有する。シャフト保持部２６は、軸方向に変位可能なようにシャフト４を保持するとともに、外嵌めされる電磁ソレノイド部３に組み付けられる。
【００１２】
ハウジング２の内部には、先端に近い位置にフィルタ室２１が設けられている。フィルタ室２１は、自動変速装置側からのオイルが電磁弁１に最初に流入する室であり、フィルタ室２１には、通路の横断面全体を覆って作動流体であるオイルを濾過するフィルタ部材８が搭載されている。ハウジング２には、オイルの流入弁口１１に対して軸心方向に対向して軸心方向に延びる排出弁口１３が設けられ、さらに流入弁口１１と排出弁口１３との間で軸心方向に交差するように側方に延びる流出口１２が設けられている。流出口１２は、通路形成部材５に形成されて変速機のバルブに通じるオイル流出通路５３に接続されている。
【００１３】
フィルタ部材８は、先端側筒部２ａの内部において、オイル流れの最も上流に位置する円盤状の部材である。フィルタ部材８は、流入弁口１１に対して上流に対向する位置に設置される網部８１を有する。フィルタ部材８は、網部８１の周囲を囲むように全周にわたって設けられる枠部８０を有する。網部８１は、円盤状の板材について中央部をエッチング加工することによって形成される。そして、エッチング加工されていない残りの板材の部分が、網部８１の周囲に形成された枠部８０を構成する。また、フィルタ部材８は、別個の部材である網部８１と枠部８０を接着、溶接等することによって形成してもよい。
【００１４】
第２のシート部材７は、中央部を軸心方向に貫通する貫通穴としての排出弁口１３を有する環状の部材である。第２のシート部材７は、ハウジング２の内部に形成された弁室２５の下流側端部において先端側筒部２ａに内接するように装着されている。弁室２５は、流入弁口１１と排出弁口１３の間に位置する空間を含み、流入弁口１１、排出弁口１３及び流出口１２に連通する室をなす。弁室２５にはボール弁１６が収容されている、ボール弁１６は、後述する電磁弁１の作動により、流入弁口１１または排出弁口１３を選択的に開閉する弁機能を発揮する。
【００１５】
弁室２５には円筒状のボールガイド部６０が設けられている。ボールガイド部６０は、第１のシート部材６の一部を構成する。ボールガイド部６０は、内側に配置されたボール弁１６を流入弁口１１及び排出弁口１３に対して同軸状に保持する。ボールガイド部６０の円筒状内壁面は、ボール弁１６の軸心方向往復移動を案内する。
【００１６】
ボールガイド部６０には、流入弁口１１及び排出弁口１３に連通する連通口６０１が形成されている。連通口６０１は、ボールガイド部６０の円筒壁を貫通する開口部である。ボールガイド部６０は、複数の連通口６０１を備えており、複数の連通口６０１は、例えば、円周方向に等間隔に配置されている。この構成によれば、仮にボールガイド部６０が弁室２５で回転したとしても流出口１２側にロスが小さい流路距離でオイルを排出することができる。
【００１７】
第２のシート部材７よりも上流側であって、フィルタ室２１から弁室２５にわたる範囲には、流入弁口１１が設けられた第１のシート部材６が装着されている。第１のシート部材６は、上流側に位置し、中央部に流入弁口１１を構成する貫通穴が設けられるリング部６１を有する。第１のシート部材６は、リング部６１の下流側に位置する端面から軸心方向に突出するボールガイド部６０を有する。
【００１８】
リング部６１は、ハウジング２の先端側筒部２ａに嵌め込まれた状態で装着されている。したがって、リング部６１は、先端側筒部２ａに密着する状態であり、この嵌め合い関係によって、第１のシート部材６は排出弁口１３やボール弁１６に対して同軸状に設置されている。この構成により、ボール弁１６、流入弁口１１及び排出弁口１３が同軸状に設置されることになり、電磁弁１は適正な芯出し設置機能を発揮できる。
【００１９】
流入弁口１１は、リング部６１がハウジング２の先端側筒部２ａに内接するように設置された状態で、第２のシート部材７の排出弁口１３と同軸上に設置される。第１のシート部材６は、ボール弁１６が上流側に移動してリング部６１に接触することで流入弁口１１が閉弁されて、上流側の弁座シート部を構成する。第２のシート部材７は、ボール弁１６が下流側に移動して第２のシート部材７に接触することで排出弁口１３が閉弁されて、下流側の弁座シート部を構成する。
【００２０】
フィルタ部材８は、複数の第１の加締め部６２によって第１のシート部材６のリング部６１に一体に固定されている。複数の第１の加締め部６２は、図３に示すように、網部８１の周囲に周方向に均等間隔に並ぶように設けられている。複数の第１の加締め部６２は、枠部８０と接触するリング部６１の端面から突出して周方向に並ぶ複数の突起部が加締め加工により変形したものである。すなわち、フィルタ部材８と第１のシート部材６は、複数の突起部が枠部８０に形成された穴部を貫通した状態で一体になり、先端側筒部２ａの内側に設置される。したがって、リング部６１は、第１のシート部材６の軸心周りに間隔をあけて並ぶ複数の第１の加締め部６２を有する。
【００２１】
このように、一体になったフィルタ部材８と第１のシート部材６が先端側筒部２ａの内部の所定位置に設置された状態では、先端側筒部２ａの内壁には、内径寸法の異なる段差部が設けられている。この段差部は、図２及び図３に図示するように、リング部６１の外周縁よりも上流側の内径寸法が、リング部６１が嵌め込まれる部分の内径寸法よりも大きくなるように形成されている。また、この状態では、第１の加締め部６２と第２の加締め部２ａ１は、軸心方向の位置が同等となるように設けられることが好ましい。
【００２２】
フィルタ部材８と一体のリング部６１が先端側筒部２ａ内のこのような位置に設置された状態で、先端側筒部２ａの内壁に形成された段差部が複数箇所で加締められる。この加締め工程により、段差部が部分的に変形して、図２及び図３に図示する複数の第２の加締め部２ａ１が形成される。リング部６１は、この複数の第２の加締め部２ａ１によって、外周縁の複数箇所で押さえ込まれるため、リング部６１がハウジング２に一体に固定される。したがって、先端側筒部２ａの内壁は、フィルタ部材８や第１のシート部材６の軸心周りに間隔をあけて並ぶ複数の第２の加締め部２ａ１を有する。
【００２３】
また、枠部８０を貫通している複数の突起部がリベット加締めされる。このリベット加締め工程により、複数の突起部のそれぞれが変形して、図２及び図３に図示する複数の第１の加締め部６２が形成される。枠部８０は、この複数の第１の加締め部６２によって、リング部６１と複数箇所で結合するため、フィルタ部材８が第１のシート部材６に一体に固定される。
【００２４】
電磁弁１には、燃料蒸気に比べて圧力が高いオイルが作動流体として流通する。このオイル漏れを抑制するために、電磁弁１は、先端側筒部２ａの外周に装着されるＯリングシール９を備える。Ｏリングシール９は、先端側筒部２ａの全周に形成された溝に嵌め込まれた環状のシール部材である。
【００２５】
ボール弁１６は、弁室２５の後端側に配設され、後述する電磁ソレノイド部３によって軸心方向に動作するシャフト４により、軸心方向に変位し、流入弁口１１の周囲のリング部６１と排出弁口１３の周囲の第２のシート部材７とに選択的に着座する。ボール弁１６が排出弁口１３の周囲の壁部に着座したときには、外部に通じる外部排出通路１５とオイル流入通路５１との連通が遮断され、オイル流入通路５１とオイル流出通路５３との連通が許容される。これにより、オイル流入通路５１を流れてきたオイルは、流入弁口１１、連通口６０１、流出口１２を通過してオイル流出通路５３へ流下する。
【００２６】
ボール弁１６がリング部６１における流入弁口１１の周囲に着座したときには、オイル流入通路５１とオイル流出通路５３との連通が遮断され、オイル流出通路５３と外部排出通路１５との連通が許容される。これにより、オイル流出通路５３からのオイルは、流出口１２、連通口６０１、排出弁口１３を通過して外部排出通路１５から外部へ排出される。
【００２７】
ハウジング２の後端側に配設された電磁ソレノイド部３は、ヨーク３１、ボビン３４、コイル３２、可動子３３、シャフト４、スプリング４５、コネクタ３５等を備えて構成される。ボビン３４は、樹脂材により略円筒形状に形成され、ヨーク３１の内側に設けられている。コイル３２は、ボビン３４の外周面に巻回されている。ヨーク３１は磁性材料により形成されている。ヨーク３１は、ボビン３４の内周側を支持し、コイル３２の外周側を覆うようにして、ボビン３４と同軸状に設けられている。ボビン３４は、シャフト４を摺動可能に支持するハウジング２の部分を内側に収容した状態でハウジング２と同軸状に設けられている。ヨーク３１、可動子３３、シャフト４等は、ボビン３４と同様にハウジング２と同軸状に設けられている。
【００２８】
可動子３３は、磁性材料で円筒状に形成されている。可動子３３は、ヨーク３１に軸心方向に往復移動可能に支持されている。電磁ソレノイド部３においては、可動子３３及びヨーク３１により磁気回路が形成される。
【００２９】
可動子３３の底部側の端面には、シャフト４の径大部４４が同軸状に固定されている。シャフト４と可動子３３は一体になって軸心方向に往復移動可能である。シャフト４は、排出弁口１３に同芯状に位置する径小の先端部４１と、排出通路１４に位置するテーパ部４２と、段部４３を介してシャフト保持部２６に摺動自在に嵌め込まれた径大部４４と、を一体に備えて構成される。排出通路１４は、ハウジング２の後端側に形成される外部排出通路１５に接続されている。外部排出通路１５は、排出通路１４に対して直交する方向に延びるようにシャフト保持部２６よりも先端側でハウジング２に設けられる通路である。
【００３０】
段部４３と排出弁口１３との間には、ばね部材の一例であるスプリング４５が介装されている。スプリング４５は、シャフト４を可動子３３側に押す付勢力を常時作用させている。さらに、弁室２５に配設されたボール弁１６は、油圧の作用で可動子３３側に押されている。これにより、電磁ソレノイド部３の非通電時には、シャフト４がスプリング４５のばね力で付勢されるとともに、油圧の作用でボール弁１６を介して可動子３３側に押されることにより、ボール弁１６が流入弁口１１を開放し排出弁口１３を閉じる。
【００３１】
コネクタ３５は、コイル３２の外皮とともに成形されて、ヨーク３１の側方に位置するように設けられる。コネクタ３５は、コイル３２を通電するために設けられており、内部のターミナル端子３５ａは、コイル３２と電気的に接続されている。電磁ソレノイド部３は、コネクタ３５によってターミナル端子３５ａを電流制御装置等に電気的に接続することにより、コイル３２に通電する電流を制御できる。
【００３２】
次に、電磁弁１の作動について説明する。電磁弁１は、図１に示すように、ハウジング２の先端側筒部２ａが通路形成部材５の装着穴５２に嵌合され、かつ流出口１２とオイル流出通路５３と接続した状態で固定することによって自動変速装置側に取り付けられる。電磁ソレノイド部３のコイル３２が非通電時の状態では、スプリング４５のばね力でシャフト４がボール弁１６から離れる方向に付勢され、油圧によってボール弁１６が後端側に押されるため、ボール弁１６は排出弁口１３を閉弁する。この状態では、オイル流入通路５１とオイル流出通路５３との連通が許容されて、オイル流入通路５１からのオイルは、流入弁口１１、連通口６０１、流出口１２を通過してオイル流出通路５３へ流出する。
【００３３】
この状態でコイル３２に通電すると、ヨーク３１、可動子３３により形成された磁気回路に磁束が発生し、可動子３３はハウジング２の先端側に向かって軸心方向に吸引され、スプリング４５の付勢力と油圧力とに抗して先端側に移動しシャフト４を移動させる。
【００３４】
その結果、ボール弁１６は、先端側に移動して流入弁口１１を閉弁する。これにより、オイル流出通路５３と外部排出通路１５との連通が許容されて、オイル流出通路５３からのオイルは、流出口１２、連通口６０１、排出弁口１３を通過して外部排出通路１５から外部へ排出される。このように、コイル３２に通電する電流値をＯＮ／ＯＦＦすることにより、オイル流出通路５３の制御液圧力をＯＮ／ＯＦＦ制御することができる。これにより、制御対象の制御に使用される制御液の圧力、流量等を制御することができる。
【００３５】
次に、第１実施形態の電磁弁１がもたらす作用効果について説明する。電磁弁１は、ハウジング２の先端側筒部２ａの内部に、オイルの上流から順にフィルタ部材８、第１のシート部材６、ボール弁１６、第２のシート部材７を有する。フィルタ部材８は、先端側筒部２ａの内部において、流入弁口１１に対して上流に対向するように設けられる網部８１と網部８１の周囲を囲むように設けられる枠部８０とを有する。第１のシート部材６は、先端側筒部２ａの内部において、ボール弁１６よりも上流に設けられ、流入弁口１１を有するリング部６１と、ボール弁１６を保持するボールガイド部６０と、を有する。フィルタ部材８の枠部８０は、リング部６１の一部が加締められて形成される第１の加締め部６２によって第１のシート部材６に固定されている。フィルタ部材８が固定されたリング部６１は、先端側筒部２ａの内壁の一部が加締められて形成される第２の加締め部２ａ１によってハウジング２に固定されている。このように電磁弁１は、フィルタ部材８の枠部８０を第１のシート部材６に固定するために、リング部６１の一部が加締められて形成された第１の加締め部６２を備える。電磁弁１は、フィルタ部材８が固定されたリング部６１をハウジング２に固定するために先端側筒部２ａの内壁の一部が加締められて形成された第２の加締め部２ａ１を備える。
【００３６】
この構成によれば、リング部６１が加締められることでフィルタ部材８の枠部８０を第１のシート部材６に一体に固定する。このため、フィルタ部材８のうち、網部８１と比べて強度が大きい枠部８０について加締め固定するので、固定によるフィルタ部材８が変形することを抑制できる。したがって、電磁弁１によれば、従来のようにフィルタ部材８を二つの部材で挟んで固定する構造を採用することなく、網部８１の変形を回避することができるとともに、部品点数を削減することができる。
【００３７】
さらに、ハウジング２の先端側筒部２ａの内壁が部分的に加締められることで第１のシート部材６のリング部６１をハウジング２に一体に固定する。このため、フィルタ部材８自体に外力がかからないので、フィルタ部材８が変形しにくい構成によって第１のシート部材６を強固に固定することができる。
【００３８】
また、電磁弁１によれば、第１の加締め部６２と第２の加締め部２ａ１は、軸心方向の位置が同等となるように設けられる。この構成によれば、図２に図示する加締め方向について、第１の加締め部６２及び第２の加締め部２ａ１に相当する部分を１回で押圧することにより、２箇所同時に加締め固定することが容易に実施できる。これにより、流入弁口１１と排出弁口１３との間にボール弁１６を保持する第１のシート部材６とフィルタ部材８との一体化固定を少ない工数で実施することができる。したがって、電磁弁１の製造工数及び製造コストを低減することができる。
【００３９】
また、フィルタ部材８の枠部８０は、枠部８０と接触するリング部６１の端面から突出して周方向に並ぶ複数の突起部が枠部８０を貫通した状態でリベット加締めされて形成される第１の加締め部６２によって第１のシート部材６に固定されている。すなわち、第１の加締め部６２は、枠部８０と接触するリング部６１の端面から突出して周方向に並ぶ複数の突起部が枠部８０を貫通した状態でリベット加締めされたものである。この構成によれば、枠部８０において周方向に並ぶ複数点で加締めるため、枠部８０に与える加締め力を分散することができ、枠部８０の変形を抑制することに寄与する。さらにこの電磁弁１によれば、枠部８０を中心側に変形させるように作用する外力を小さくできるので、網部８１が撓むことを抑制することにも寄与する。
【００４０】
また、フィルタ部材８は、板材をエッチング加工することにより中央部に形成された網部８１と、網部８１の周囲に残された板材からなる枠部８０と、を備えて構成される。この構成によれば、網部８１と枠部８０からなるフィルタ部材８を板材のエッチング加工によって製作することができる。またこの製造によれば、薄いフィルタ部材８を製作することできる。さらに、薄いフィルタ部材８であるがゆえにフィルタ部材８が変形しやすいにもかかわらず、前述の電磁弁１の加締め構造によれば、フィルタ部材８が変形しにくいという顕著な効果を提供できる。
【００４１】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味及び範囲内での全ての変更を含むものと解されるべきである。
【００４２】
前述の実施形態において、第１のシート部材６のリング部６１の端面から突出する円柱状の突起部をフィルタ部材８の枠部８０に設けた貫通穴に嵌め込み、嵌め込んだ状態で突起部をリベット加締めすることで突起部が変形して枠部８０をリング部６１に固定する。枠部８０とリング部６１との固定構造は、この形態に限定されない。例えば、リング部６１に外周縁から内側に向けて延びるように設けられた切り欠き部に、前述の円柱状の突起部を嵌め込み、嵌め込んだ状態で突起部を加締めることで突起部が変形して枠部８０をリング部６１に固定する形態としてもよい。
【００４３】
前述の実施形態において、ボールガイド部６０は、第１のシート部材６の一部を構成するが、このような形態に限定されない。例えば、ボールガイド部６０は、それ自体が一つの部品を構成してもよいし、第２のシート部材７の一部を構成するものであってもよい。
【００４４】
前述の実施形態において、第２のシート部材７は排出弁口１３を形成する部材であるが、このような形態に限定されない。例えば、第２のシート部材７は、ハウジング２の一部であってもよく、この場合、排出弁口１３は流入弁口１１に対して軸心方向に対向するようにハウジング２に形成された通路を構成する。
【００４５】
前述の実施形態におけるＯリングシール９は、シール部材の一例であり、電磁弁１に提供可能なシール部材は、断面円形状のゴム製部材に限定されるものではない。例えば、シール部材の素材は、ゴム以外の弾性変形可能な材料からなるものでもよく、その断面形状は、矩形状であってもよい。
【符号の説明】
【００４６】
２…ハウジング、  ２ａ…先端側筒部、  ２ａ１…第２の加締め部
３…電磁ソレノイド部、  ４…シャフト、  ５…通路形成部材
６…第１のシート部材（シート部材）、  ８…フィルタ部材
１１…流入弁口、  １３…排出弁口、  １６…ボール弁
２５…弁室、  ５１…オイル流入通路（流入通路）
５２…装着穴、  ５３…オイル流出通路（流出通路）
６０…ボールガイド部、６１…リング部
６２…第１の加締め部、  ８０…枠部、８１…網部
６０１…連通口
【図１】
0006558160.tif 000002
【図２】
0006558160.tif 000003
【図３】
0006558160.tif 000004